【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
スケジューリングエンティティが時分割複信(TDD)キャリア上で複数のサブフレームを利用して1つまたは複数の従属エンティティのセットと通信するための、同期ネットワーク内のワイヤレス通信の方法であって、前記複数のサブフレームの各々が、ヘッダ、制御部分、データ部分、および肯定応答部分を含み、前記方法は、
前記サブフレームの前記ヘッダ内で双方向データを通信するステップであって、前記双方向データが、前記スケジューリングエンティティによって送信されたデータパケットおよび前記1つまたは複数の従属エンティティから受信されたデータパケットを含む、ステップと、
前記サブフレームの前記制御部分内でスケジューリング情報を送信するステップと、
前記サブフレームの前記データ部分内で、前記スケジューリング情報に対応するデータ情報を送信または受信するステップであって、前記データ情報が従属エンティティの前記セットに関連付けられ、前記制御部分内に、スケジューリングされるすべてのデータパケットを含む、ステップと、
前記サブフレームの前記肯定応答部分内で、前記データ情報に対応する肯定応答情報を送信または受信するステップであって、前記データ部分内の前記データパケットのすべてが、前記肯定応答部分内で確認される、ステップと
を含む方法。
【請求項２】
前記複数のサブフレームの各々が、肯定応答部分およびトレーラ部分を含むトレーラをさらに含み、
前記方法が、
前記トレーラ内で双方向データを通信するステップであって、前記双方向データのすべてのデータパケットが、前記トレーラ内で確認される、ステップ
をさらに含む請求項1に記載の方法。
【請求項３】
第1の持続時間から、前記第1の持続時間と異なる第2の持続時間に、前記サブフレーム構造の持続時間を構成するステップをさらに含む請求項1に記載の方法。
【請求項４】
前記ヘッダ内の前記双方向データが、1つまたは複数のチャネルパラメータに対応する請求項1に記載の方法。
【請求項５】
前記1つまたは複数のチャネルパラメータが、時間周波数割当て、チャネル状態、チャネル品質、または干渉レベルのうちの少なくとも1つを含む請求項4に記載の方法。
【請求項６】
前記ヘッダが、アップリンク伝送とダウンリンク伝送との間の1つまたは複数の切換え位置を含む請求項1に記載の方法。
【請求項７】
前記ヘッダの前記双方向データが、
チャネル状態情報-基準信号(CSI-RS)を通信するように構成されたダウンリンクデータと、
チャネル品質指標(CQI)およびサウンディング基準信号(SRS)のうちの少なくとも1つを通信するように構成されたアップリンクデータと
を含む請求項1に記載の方法。
【請求項８】
前記ヘッダの前記双方向データが、
前記1つまたは複数の従属エンティティにポーリング信号を送信するように構成されたダウンリンクデータと、
前記1つまたは複数の従属エンティティから通信能力を受信するように構成されたアップリンクデータと
を含む請求項1に記載の方法。
【請求項９】
前記ヘッダの前記双方向データが、
前記データ部分内に、差し迫ったデータ伝送を警報するように構成されたダウンリンクデータ
を含む請求項1に記載の方法。
【請求項１０】
前記複数のサブフレームが送信機スケジューリング済みサブフレームである請求項1に記載の方法。
【請求項１１】
前記複数のサブフレームが受信機スケジューリング済みサブフレームである請求項1に記載の方法。
【請求項１２】
スケジューリングエンティティが時分割複信(TDD)キャリア上で複数のサブフレームを利用して1つまたは複数の従属エンティティのセットと通信するための、同期ネットワーク内のワイヤレス通信の方法であって、前記複数のサブフレームの各々が、制御部分、データ部分、およびトレーラを含み、前記方法は、
前記サブフレームの前記制御部分内でスケジューリング情報を送信するステップと、
前記サブフレームの前記データ部分内で、前記スケジューリング情報に対応するデータ情報を送信または受信するステップであって、前記データ情報が従属エンティティの前記セットに関連付けられ、前記制御部分内に、スケジューリングされるすべてのデータパケットを含む、ステップと、
前記トレーラの肯定応答部分内で、前記データ情報に対応する肯定応答情報を送信または受信するステップであって、前記データ部分内の前記データパケットのすべてが、前記肯定応答部分内で確認される、ステップと、
前記サブフレームの前記トレーラ内で双方向データを送信または受信するステップであって、前記双方向データが、前記スケジューリングエンティティによって送信されたデータパケットおよび前記1つまたは複数の従属エンティティから受信されたデータパケットを含む、ステップと
を含む方法。
【請求項１３】
前記複数のサブフレームの各々がヘッダをさらに含み、
前記方法が、
前記サブフレームの前記ヘッダ内で双方向データを通信するステップであって、前記双方向データのすべてのデータパケットが、前記ヘッダ内で確認される、ステップ
をさらに含む請求項12に記載の方法。
【請求項１４】
第1の持続時間から、前記第1の持続時間と異なる第2の持続時間に、前記サブフレーム構造の持続時間を構成するステップをさらに含む請求項12に記載の方法。
【請求項１５】
従属エンティティが時分割複信(TDD)キャリア上で複数のサブフレームを利用してスケジューリングエンティティと通信するための、同期ネットワーク内のワイヤレス通信の方法であって、前記複数のサブフレームの各々が、ヘッダ、データ部分、および肯定応答部分を含み、前記方法は、
前記サブフレームの前記ヘッダ内で双方向データを通信するステップであって、前記双方向データが、前記スケジューリングエンティティから受信されたデータパケットおよび前記従属エンティティからによって送信されたデータパケットを含む、ステップと、
前記サブフレームの前記ヘッダ内でスケジューリング情報を受信するステップと、
前記サブフレームの前記データ部分内で、前記スケジューリング情報に対応するデータ情報を送信または受信するステップであって、前記データ情報が前記スケジューリングエンティティに関連付けられ、前記ヘッダ内に、スケジューリングされるすべてのデータパケットを含む、ステップと、
前記サブフレームの前記肯定応答部分内で、前記データ情報に対応する肯定応答情報を送信または受信するステップであって、前記データ部分内の前記データパケットのすべてが、前記肯定応答部分内で確認される、ステップと
を含む方法。
【請求項１６】
同期ネットワーク内のワイヤレス通信のためのスケジューリングエンティティであって、
時分割複信(TDD)キャリア上で複数のサブフレームを利用して1つまたは複数の従属エンティティのセットと通信するように構成された通信インターフェースであって、前記複数のサブフレームの各々が、ヘッダ、制御部分、データ部分、および肯定応答部分を含む、通信インターフェースと、
実行可能コードを含むメモリと、
前記通信インターフェースおよびメモリと動作可能に結合された回路を含むプロセッサであって、前記実行可能コードによって、
前記サブフレームの前記ヘッダ内で双方向データを通信することであって、前記双方向データが、前記スケジューリングエンティティによって送信されたデータパケットおよび前記1つまたは複数の従属エンティティから受信されたデータパケットを含むこと、
前記サブフレームの前記制御部分内でスケジューリング情報を送信すること、
前記サブフレームの前記データ部分内で、前記スケジューリング情報に対応するデータ情報を送信または受信することであって、前記データ情報が従属エンティティの前記セットに関連付けられ、前記制御部分内に、スケジューリングされるすべてのデータパケットを含むこと、および
前記サブフレームの前記肯定応答部分内で、前記データ情報に対応する肯定応答情報を送信または受信することであって、前記データ部分内の前記データパケットのすべてが、前記肯定応答部分内で確認されること
を行うように構成されたプロセッサと
を備えるスケジューリングエンティティ。
【請求項１７】
前記複数のサブフレームの各々が、前記肯定応答部分およびトレーラ部分を含むトレーラをさらに含み、
前記プロセッサが、
前記トレーラ内で双方向データを通信するようにさらに構成され、前記双方向データのすべてのデータパケットが、前記トレーラ内で確認される請求項16に記載のスケジューリングエンティティ。
【請求項１８】
前記プロセッサが、第1の持続時間から、前記第1の持続時間と異なる第2の持続時間に、前記サブフレーム構造の持続時間を構成するようにさらに構成された請求項16に記載のスケジューリングエンティティ。
【請求項１９】
前記ヘッダ内の前記双方向データが、1つまたは複数のチャネルパラメータに対応する請求項16に記載のスケジューリングエンティティ。
【請求項２０】
前記1つまたは複数のチャネルパラメータが、時間周波数割当て、チャネル状態、チャネル品質、または干渉レベルのうちの少なくとも1つを含む請求項19に記載のスケジューリングエンティティ。
【請求項２１】
前記ヘッダが、アップリンク伝送とダウンリンク伝送との間の1つまたは複数の切換え位置を含む請求項16に記載のスケジューリングエンティティ。
【請求項２２】
前記ヘッダの前記双方向データが、
チャネル状態情報-基準信号(CSI-RS)を通信するように構成されたダウンリンクデータと、
チャネル品質指標(CQI)およびサウンディング基準信号(SRS)のうちの少なくとも1つを通信するように構成されたアップリンクデータと
を含む請求項16に記載のスケジューリングエンティティ。
【請求項２３】
前記前記ヘッダの前記双方向データが、
前記1つまたは複数の従属エンティティにポーリング信号を送信するように構成されたダウンリンクデータと、
前記1つまたは複数の従属エンティティから通信能力を受信するように構成されたアップリンクデータと
を含む請求項16に記載のスケジューリングエンティティ。
【請求項２４】
前記ヘッダの前記双方向データが、
前記データ部分内に、差し迫ったデータ伝送を警報するように構成されたダウンリンクデータ
を含む請求項16に記載のスケジューリングエンティティ。
【請求項２５】
前記複数のサブフレームが送信機スケジューリング済みサブフレームである請求項16に記載のスケジューリングエンティティ。
【請求項２６】
前記複数のサブフレームが受信機スケジューリング済みサブフレームである請求項16に記載のスケジューリングエンティティ。
【請求項２７】
同期ネットワーク内のワイヤレス通信のためのスケジューリングエンティティであって、
時分割複信(TDD)キャリア上で複数のサブフレームを利用して1つまたは複数の従属エンティティのセットと通信するように構成された通信インターフェースであって、前記複数のサブフレームの各々が、制御部分、データ部分、およびトレーラを含む、通信インターフェースと、
実行可能コードを含むメモリと、
前記通信インターフェースおよびメモリと動作可能に結合された回路を含むプロセッサであって、前記実行可能コードによって、
前記サブフレームの前記制御部分内でスケジューリング情報を送信すること、
前記サブフレームの前記データ部分内で、前記スケジューリング情報に対応するデータ情報を送信または受信することであって、前記データ情報が従属エンティティの前記セットに関連付けられ、前記制御部分内に、スケジューリングされるすべてのデータパケットを含むこと、
前記トレーラの肯定応答部分内で、前記データ情報に対応する肯定応答情報を送信または受信することであって、前記データ部分内の前記データパケットのすべてが、前記肯定応答部分内で確認されること、および
前記サブフレームの前記トレーラ内に双方向データを通信することであって、前記双方向データが、前記スケジューリングエンティティによって送信されたデータパケットおよび前記1つまたは複数の従属エンティティから受信されたデータパケットを含むこと
を行うように構成されたプロセッサと
を備えるスケジューリングエンティティ。
【請求項２８】
前記複数のサブフレームの各々がヘッダをさらに含み、
前記プロセッサが、
前記サブフレームの前記ヘッダ内で双方向データを通信するようにさらに構成され、前記双方向データのすべてのデータパケットが、前記ヘッダ内で確認される請求項27に記載のスケジューリングエンティティ。
【請求項２９】
前記プロセッサが、第1の持続時間から、前記第1の持続時間と異なる第2の持続時間に、前記サブフレーム構造の持続時間を構成するようにさらに構成された請求項27に記載のスケジューリングエンティティ。
【請求項３０】
同期ネットワーク内のワイヤレス通信のための従属エンティティであって、
時分割複信(TDD)キャリア上で複数のサブフレームを利用してスケジュールエンティティと通信するように構成された通信インターフェースであって、前記複数のサブフレームの各々が、ヘッダ、データ部分、および肯定応答部分を含む通信インターフェースと、
実行可能コードを含むメモリと、
前記通信インターフェースおよびメモリと動作可能に結合された回路を含むプロセッサであって、前記実行可能コードによって、
前記サブフレームの前記ヘッダ内で双方向データを通信することであって、前記双方向データが、前記スケジュールエンティティから受信されたデータパケットおよび前記従属エンティティによって送信されたデータパケットを含むこと、
前記サブフレームの前記ヘッダ内でスケジューリング情報を受信すること、
前記サブフレームの前記データ部分内で、前記スケジューリング情報に対応するデータ情報を送信または受信することであって、前記データ情報が前記スケジュールエンティティに関連付けられ、前記ヘッダ内に、スケジューリングされるすべてのデータパケットを含むこと、および
前記サブフレームの前記肯定応答部分内で、前記データ情報に対応する肯定応答情報を送信または受信することであって、前記データ部分内の前記データパケットのすべてが、前記肯定応答部分内で確認されること
を行うように構成されたプロセッサと
を備える従属エンティティ。
【請求項３１】
従属エンティティが、時分割複信(TDD)キャリア上で複数のサブフレームを利用してスケジューリングエンティティと通信するための、同期ネットワーク内のワイヤレス通信の方法であって、前記複数のサブフレームの各々が、制御部分、データ部分、およびトレーラを含み、前記方法は、
前記サブフレームの前記制御部分内でスケジューリング情報を受信するステップと、
前記サブフレームの前記データ部分内で前記スケジューリング情報に対応するデータ情報を送信または受信するステップであって、前記データ情報が、前記制御部分内に、スケジューリングされるすべてのデータパケットを含む、ステップと、
前記トレーラの肯定応答部分内で、前記データ情報に対応する肯定応答情報を送信または受信するステップであって、前記データ部分内の前記データパケットのすべては、前記肯定応答部分内で確認される、ステップと、
前記サブフレームの前記トレーラ内で双方向データを送信または受信するステップであって、前記双方向データは、前記従属エンティティによって送信されたデータパケットおよび前記従属エンティティから受信されたデータパケットを含む、ステップと
を含む方法。
【請求項３２】
同期ネットワーク内のワイヤレス通信のための従属エンティティであって、
時分割複信(TDD)キャリア上で複数のサブフレームを利用してスケジューリングエンティティと通信するように構成された通信インターフェースであって、前記複数のサブフレームの各々が、制御部分、データ部分、およびトレーラを含む通信インターフェースと、
実行可能コードを含むメモリと、
前記通信インターフェースおよびメモリと動作可能に結合された回路を含むプロセッサであって、前記実行可能コードによって、
前記サブフレームの前記制御部分内でスケジューリング情報を受信すること、
前記サブフレームの前記データ部分内で前記スケジューリング情報に対応するデータ情報を送信または受信することであって、前記データ情報が、前記制御部分内に、スケジューリングされるすべてのデータパケットを含むこと、
前記トレーラの肯定応答部分内で、前記データ情報に対応する肯定応答情報を送信または受信することであって、前記データ部分内の前記データパケットのすべては、前記肯定応答部分内で確認されること、
前記サブフレームの前記トレーラ内で双方向データを送信または受信することであって、前記双方向データは、前記従属エンティティによって送信されたデータパケットおよび前記スケジューリングエンティティから受信されたデータパケットを含むこと
を行うように構成されたプロセッサと
を備える従属エンティティ。